(57)【要約】【課題】この発明は、陶板を担板とした放射性陶板であって、放射層を堅固にし、かつ、施釉による放射線量の吸収されるのを可及的に少なくすることを目的としたものである。【解決手段】この発明は、陶板の表面に天然ラジウム微粉末よりなる放射層を設け、該放射層の表面に５％〜６０％施釉して焼成したことを特徴とする放射性陶板により目的を達成した。【選択図】      図１
2004161587.tif 000002
【特許請求の範囲】
【請求項１】
陶板の表面に天然ラジウム微粉末よりなる放射層を設け、該放射層の表面に５％〜６０％施釉して焼成したことを特徴とする放射性陶板。
【請求項２】
陶板の表面に天然ラジウム微粉末よりなる放射層を設け、該放射層の表面に、放射線透過性の釉薬層を設けて焼成したことを特徴とする放射性陶板。
【請求項３】
陶板の表面に天然ラジウム微粉末と、接着用泥奬との混合物を付着させて放射層を設け、該放射層の表面に不完全施釉をした後、８００℃以上の高温で還元焼成することを特徴とした放射性陶板の製造方法。
【請求項４】
混合物は、天然ラジウム微粉末を３０％〜６０％（重量）とすることを特徴とした請求項３記載の放射性陶板の製造方法。
【請求項５】
不完全施釉は、被覆率を５％〜６０％とすることを特徴とした請求項３記載の放射性陶板の製造方法。
【請求項６】
施釉は斑点状に有釉部と無釉部を混在させることを特徴とした請求項３又は５記載の放射性陶板の製造方法。
【請求項７】
放射能線は１００ｃｍ２当たり、１．００マイクロシーベルト以上とすることを特徴とした請求項３記載の放射性陶板の製造方法。
【発明の詳細な説明】
【０００１】
【発明の属する技術分野】
この発明は、所定の放射能により、天然ラジウム効果、水の活性化、マイナスイオン発生及び殺菌能を付与することを目的とした放射性陶板及びその製造方法に関する。
【０００２】
【従来の技術】
従来マイナスイオン発生能を付与した身飾品（ブローチ、ブレスレットなど）又は放射能を有するプレート製造方法が知られている。
【０００３】
【特許文献１】特開昭５０−１１４４１５
【０００４】
【発明により解決しようとする課題】
前記従来の身飾品又はプレートなどは、放射層の表面を全釉しているか、あるいは無釉であった。前記全釉の場合には、放射線量が著しく削減（例えば２分の１以下）される問題点があった。
【０００５】
また、無釉の場合には、放射層が脆弱のために、使用中に別落する問題点があった。
【０００６】
更に、陶板の全陶土に放射性粉末を混入すると、強度の向上は認められるが、放射性粉末を多量に必要とする問題点があった。
【０００７】
【課題を解決するための手段】
この発明は、陶板と放射性粉末との接着性を向上させるために、泥奬を用いると共に、不完全施釉をすることにより、前記従来の問題点を解決したのである。
【０００８】
即ち、陶板の発明は陶板の表面に天然ラジウム微粉末よりなる放射層を設け、該放射層の表面に５％〜６０％施釉して焼成したことを特徴とする放射性陶板であり、陶板の表面に天然ラジウム微粉末よりなる放射層を設け、該放射層の表面に、放射線透過性の釉薬層を設けて焼成したことを特徴とするものである。
【０００９】
次に、方法の発明は陶板の表面に天然ラジウム微粉末と、接着用泥奬との混合物を付着させて放射層を設け、該放射層の表面に不完全施釉をした後、８００℃以上の高温で還元焼成することを特徴とした放射性陶板の製造方法であり、混合物は、天然ラジウム微粉末を３０％〜６０％（重量）とすることを特徴としたものである。
【００１０】
また、不完全施釉は、被覆率５％〜６０％とすることを特徴としたものであり、施釉は斑点状又は網目状のように有釉部と無釉部を混在させることを特徴としたものである。更に、放射性能は１００ｃｍ２当たり、１．００マイクロシーベルト以上とすることを特徴としたものである。
【００１１】
前記において、混合物中ラジウム微粉末の量を３０％以下にすると、放射能の低下を来たし、６０％以上にすると、接着力が低下するので、３０％〜６０％（重量）とした。
【００１２】
また、不完全施釉の被覆割合を５％以下にすると、放射層の表面強度が低下し、６０％以上にすると、放射線量の低下が大きくなるので、被覆率を５％〜６０％としたが、好ましくは２０％〜４０％である。この発明において従来使用している釉原料を用いて施釉すると、釉薬に放射線の吸収能があるために、放射線量が激減するためである。そこで、半施釉するか、放射線を吸収しない原料を用いれば、全釉することができる。
【００１３】
この発明における放射線を吸収しない材料とは、例えばＫＮａＯ、ＢａＯ、ＭｇＯ、Ｓｒｏ又はＣａＯとＡｌ２Ｏ３などよりなる「磁気ゆう」又はＫＮａＯ、ＢａＯ、ＭｇＯ、Ｓｒｏ又はＣａＯとＡｌ２Ｏ３またはＳｉＯ２とＡｌ２Ｏ３などよりなる磁気ゆうがある。
【００１４】
要するに、放射線吸収釉薬としてはＰ６Ｏ２などを含まない物が好ましい。
【００１５】
この発明における天然ラジウムはラジウム鉱石を選別粉粋したもので、例えば台湾台北市の北投地域にある北投石、または鳥取県三朝温泉地域のラジウム鉱石を使用することができる。
【００１６】
この発明におけるラジウム放射線は、結核菌、コレラ菌、ブドウ状菌、連鎖状菌などの細菌の発育や繁殖を阻止するばかりでなく、適正な放射処理により殺菌することも知られている。
【００１７】
この発明における放射線は、例えば、三朝温泉のような放射能泉水に含まれる放射能物質であって、その主体はラジウム・エマナチオン（以下、ラドンという）である。従って、通常の原子力発電所などの排水に含まれている放射能物質とは異なる。前記ラドンは、物理的半減期は３日〜８日で、生物的半減期（体内に入った時の半減期）は１０分〜３０分であって、ラドンは生体内では化学的結合物を作らない希ガスであるから、きわめて安全な放射線である。生体に無害であり、却って血管の拡張作用とか、神経の鎮静作用が期待できる。
【００１８】
この発明におけるラジウム微粉末は、１μ〜５０μであって、混合物（例えば泥奬）の微粒子と粒度の違いの大きくないことが望ましい。
【００１９】
【発明の実施の形態】
この発明は、陶板の表面に１μ〜５０μの天然ラジウム微粉末と泥奬との混合物を吹き付けて放射層を形成し、乾燥後、釉薬を斑点状に塗着する。ついで、１２００℃〜１３００℃で１０時間あまり焼成すれば、この発明の放射性陶板ができる。前記釉薬は、放射層の表面を５％〜５０％（例えば２０％）被覆することを目的とし、斑点状、網目状その他形状に制約はない。
【００２０】
前記における陶板は、広く知られている粘土類、珪石類、長石類を適量宛混合して素土を調整し、これを用いて任意形状の成形板とする。ついで、この成形板状に天然ラジウム微粉末と、泥奬との適量（例えば５０％×５０％）の混合物を吹き付けて、放射層を設け、乾燥後、放射層の表面に釉薬を半掛けする（例えば２５％掛け）。ついで乾燥後１２００℃で１３時間焼成すれば、この発明の放射性陶板ができあがる。この場合の放射線量は１００ｃｍ２当たり２．００マイクロシーベルト以上が好ましいが、この量に制約されるものでなく、使途により適宜定める。
【００２１】
【実施例１】
この発明の実施例を図１（ａ）、（ｂ）について、通常の要領によって成形した陶板１の表面へラジウム微粉末と泥奬の混合物（５０％×５０％）を４００ｃｍ２当たり１００ｇ〜２００ｇ吹き付けて、放射層２を層着し、該放射層２の上面へ斑点状の釉薬層３を設け（ほぼ２０％被覆）、これを１２８０℃で１３時間焼成して、この発明の放射性陶板５を得た。
【００２２】
図中４は無釉部である。
【００２３】
前記放射性陶板５について放射能を測定したところ、１００ｃｍ２当たり２．２９５マイクロシーベルトであった。
【００２４】
前記放射性陶板からは１ｃｍ２当たり６，０００のマイナスイオンが測定できた。
【００２５】
前記陶板は、例えば風呂水（１８０リットル）中へ２０分間浸漬しておいた所、風呂水の活性化が認められた。
【００２６】
【実施例２】
この発明の製造方法を図２に基づいて説明する。粘土と珪石粉末及び長石粉末とを混合して素土を調整し、この素土を用いて陶板素材を成形する。ついで、前記陶板素材の表面に天然ラジウム微粉末と泥奬との同量混合物を吹付けて放射層を層着し、この放射層の表面に半掛施釉（面積の２０％施釉）する。前記処理板を１２８０℃で１３時間還元焼成すれば、この発明の放射性陶板が出来る。前記半掛施釉は例えば陶板１ｃｍ２当たり釉薬０．１ｇ吹き付ければ２０％施釉となるので、吹付け量を規制すれば、施釉％を定めることができる。
【００２７】
【発明の効果】
この発明は、陶板上に放射層を設けたので、全体が強靱であって壊れるおそれがなく、また放射層は、接着剤（泥奬）を介して付着させてあるので付着力が大きくその上、施釉するので、放射層が強固に固定した放射性陶板となる効果がある。
【００２８】
また、半釉掛けしてあるので、釉薬に吸収される放射線を可及的に少なくすると共に、ラジウム微粒子の剥離を未然に防止する効果がある。また、浴場等に敷設する場合は、半釉にするとすべりにくくなる効果もある。
【図面の簡単な説明】
【図１】（ａ）この発明の実施例の断面図。
（ｂ）同じく一部拡大平面図。
（ｃ）同じく一部拡大断面図。
【図２】同じく方法の実施例のブロック図。
【符号の説明】
１  陶板
２  放射層
３  釉薬層
４  無釉部
５  放射性陶板
【図１】
2004161587.tif 000003
【図２】
2004161587.tif 000004